(57)【要約】【課題】  オットマンを用いない場合には該オットマンが使用者に接触することのないマッサージ椅子を提供する。【解決手段】  一面側が脚部施療部７を有する施療面１５となっているオットマン６を椅子本体１の前端に連結させて成るマッサージ椅子において、施療面１５を前方に向けた状態にあるオットマン６が後方に傾倒されてその上部が椅子本体１の座部２下方に収納されるように、オットマン６をその下部において椅子本体１と回転自在に連結させたものとする。これにより、オットマン６の特に脚部施療部７が使用者に当ることが防止される。【選択図】        図１
2005237486.tif 000002
【特許請求の範囲】
【請求項１】
一面側が脚部施療部を有する施療面となっているオットマンを椅子本体の前端に連結させて成るマッサージ椅子であって、施療面を前方に向けた状態にあるオットマンが後方に傾倒されてその上部が椅子本体の座部下方に収納されるように、オットマンをその下部において椅子本体と回転自在に連結させていることを特徴とするマッサージ椅子。
【請求項２】
椅子本体の前端に揺動アームの一端側を回転自在に支持させ、該揺動アームを介してオットマンを椅子本体と揺動自在に連結させたものであって、オットマンが後方に傾倒されている場合には揺動アームの回転を禁止する揺動制限手段を備えていることを特徴とする請求項１記載のマッサージ椅子。
【発明の詳細な説明】
【技術分野】
【０００１】
本発明は、オットマンを備えたマッサージ椅子に関するものである。
【背景技術】
【０００２】
従来から、椅子に座した状態でマッサージ効果を得ることのできるマッサージ椅子が知られている。このマッサージ椅子としては、椅子本体の主に背凭れ部に内蔵してあるマッサージ機構が使用者に対して揉みや叩き等のマッサージを行うものが代表的であるが、近年は、椅子本体の前端にオットマンを接続させたものが多く提案されている（特許文献１参照）。このオットマンは、その一面側に設けてある脚部施療部に使用者の脚部を保持させるとともに該脚部施療部に備えてあるエアバッグ等の施療手段を駆動させることにより、ふくらはぎ等の脚部施療個所に対して適当なマッサージを行うようになっている。
【０００３】
上記のようなオットマンを備えたマッサージ椅子においては、オットマンの脚部施療部を使用者の脚部が嵌め込まれるように形成する必要があり、したがってオットマンを椅子本体の前端から垂下された状態に位置させてある場合であっても該オットマンの脚部施療部が前方に大きく突出することは避けられない構造であった。このため、オットマンを用いない場合においても、椅子本体に座した状態の使用者のふくらはぎにはオットマンの突出部分が接触してしまい、椅子としての快適な使用感が得られないという問題があった。
【特許文献１】特開平１１−１６９４１７号公報
【発明の開示】
【発明が解決しようとする課題】
【０００４】
本発明は上記問題点に鑑みて発明したものであって、オットマンを用いない場合には該オットマンが使用者に接触することがなく、椅子としての快適な使用感を得ることのできるマッサージ椅子を提供することを課題とするものである。
【課題を解決するための手段】
【０００５】
上記課題を解決するために本発明を、一面側が脚部施療部７を有する施療面１５となっているオットマン６を椅子本体１の前端に連結させて成るマッサージ椅子であって、施療面１５を前方に向けた状態にあるオットマン６が後方に傾倒されてその上部が椅子本体１の座部２下方に収納されるように、オットマン６をその下部において椅子本体１と回転自在に連結させていることを特徴としたものとする。上記特徴を備えることで、オットマン６を使用しない場合には、オットマン６をその施療面１５が前方を向く状態から後方に傾倒させることで座部２下方に容易且つ確実に収納させておくことができ、このようなオットマン６の収納により施療面１５にある脚部施療部７がふくらはぎ等に当って不快感を与えることがなくなるので、使用者にとっては椅子としての快適な使用感を得ることができるものである。
【０００６】
また、上記マッサージ椅子を、椅子本体１の前端に揺動アーム１４の一端側を回転自在に支持させ、該揺動アーム１４を介してオットマン６を椅子本体１と揺動自在に連結させたものとし、更に、オットマン６が後方に傾倒されている場合には揺動アーム１４の回転を禁止する揺動制限手段を備えたものとすることも好適である。このようにすることで、使用者はオットマン６を適当な揺動位置に設定して好みの体勢でマッサージを行うことができるとともに、オットマン６が後方に傾倒されていて使用可能な状態にない場合には該オットマン６の揺動を禁止してトラブル発生を予防するものである。
【発明の効果】
【０００７】
本発明は、オットマンを用いない場合には該オットマンが使用者に接触することがなく、椅子としての快適な使用感を得ることのできるマッサージ椅子を提供することができるという効果を奏するものである。
【発明を実施するための最良の形態】
【０００８】
以下、本発明を添付図面に示す実施形態に基いて説明する。図１は本発明の実施の形態における一例のマッサージ椅子の斜視図であるが、図示のように本例のマッサージ椅子は、椅子本体１と、この椅子本体１の前端に接続されるオットマン６とで主体を構成している。椅子本体１は、使用者の着座する座部２と、座部２に着座した使用者が後側に凭れかかる為の背凭れ部３と、同じく座部２に着座した使用者が腕を置く為の肘掛け部４と、上記各部２，３，４を上方に支持する支持脚部５とで形成されており、主に背凭れ部３に内蔵されるマッサージ機構（図示せず）によって着座状態にある使用者の背面に対して揉みや叩き等の各種マッサージを行うようになっている。なお、本文中における前後方向とは椅子本体１に着座した状態の使用者から見た方向を基準とするので、後側とは座部２に対して背凭れ部３が位置する側のことであり、前側とは座部２に対して背凭れ部３が位置する側と逆側のことである。
【０００９】
オットマン６は、使用者の脚部が嵌め込まれる脚部施療部７をその一面側である施療面１５に設けたものである。脚部施療部７は、その中央部分に突設された中央壁部８と、中央壁８を挟む両外部分に突設された外壁部９とを有し、中央壁部８と両側の外壁部９との間にそれぞれ脚部保持溝２３が形成されるようになっており、中央壁部８や外壁部９には施療手段として例えばエアバッグ（図示せず）を内蔵させている。そして、図１（ａ）に示すようにオットマン６が椅子本体１の前端から垂下されるように位置し、オットマン６の脚部施療部７を設けてある施療面１５が前方を向くようにした状態で、座部２に座した状態の使用者が自身の下腿部を脚部施療部７の脚部保持溝２３にそれぞれ嵌め込み、エアバッグへの給排気を行わせることで、該エアバッグの膨縮により脚部施療部７に保持させてある下腿部の特にふくらはぎ部分に揉みマッサージを行わせるものである。
【００１０】
オットマン６に内蔵されるフレーム部１０は、図４に示すように、両側の外壁部９の突出部分の骨格を成す左右一対のＵ字フレーム１１（以下、図中左側のＵ字フレームを１１ａ，図中右側のＵ字フレームを１１ｂとする）と、両側のＵ字フレーム１１ａ，１１ｂの端部同士を連結させる上下一対の横フレーム１２（以下、図中上側の横フレームを１２ａ、図中下側の横フレームを１２ｂとする）と、並設される横フレーム１２ａ，１２ｂの中央部分同士を連結させて中央壁部８の後側に位置することとなる縦フレーム１３とで主体を構成している。椅子本体１に内蔵される椅子フレーム２６の前端には、左右一対の揺動アーム１４（以下、図中左側の揺動アームを１４ａ，図中右側の揺動アームを１４ｂとする）の一端側が支持されており、各揺動アーム１４ａ，１４ｂにオットマン６のフレーム部１０を支持させることで、椅子本体１の前端とオットマン６とを接続させている。
【００１１】
各揺動アーム１４ａ，１４ｂによるフレーム部１０の支持は、フレーム部１０の下側に配される横フレーム１２ｂの両端部を、その軸心を中心として各揺動アーム１４ａ，１４ｂの下端部に回転自在に連結させるとともに、フレーム部１０の上側に配される横フレーム１２ａの両端部を各揺動アーム１４ａ，１４ｂの上端部に係止させることで行っている。上側の横フレーム１２ａの係止は、一方の揺動アーム１４ａに取付けてあるロックレバー１６により後側への回転が不能となるように係止するとともに、他方の揺動アーム１４ｂに延設してある前側ストッパ１７により前側への回転が不能となるように係止することで行われる。
【００１２】
図５に示すように、上記したロックレバー１６は、その前端側が操作レバー部１８を成すとともに後端側が下方に屈曲したロック部１９を成す形状であり、操作レバー部１８とロック部１７の間の中間部分を揺動アーム１４ａの内側面に回転自在に接続させることで、操作レバー部１８を上方に引き上げた状態でロック部１９が横フレーム１２ａを後側から係止し、フレーム部１０即ちオットマン６全体の横フレーム１２ｂを中心とした後側への回転を不能とするものである。揺動アーム１４ａの内周面のロックレバー１６上方には付勢手段として戻しばね２０を取付けており、この戻しばね２０がロックレバー１６のロック部１９側を下方に付勢することでロックレバー１６による係止状態が維持されるとともに、操作レバー部１８に下方への押圧力を加えた場合にはロック部１９側が上方に移動して係止状態を解除するようになっている。また、上記した前側ストッパ１７は揺動アーム１４ｂの上端部から前方に突設されたものであり、その先端部分が内側に向けて屈曲した係止部２１となっている。この係止部２１によって前側ストッパ１７は横フレーム１２ａを前側から係止し、フレーム部１０即ちオットマン６全体の横フレーム１２ｂを中心とした前側への回転を不能とするものである。
【００１３】
しかして、操作レバー部１８を押下してロックレバー１６による係止を解除すると、オットマン６はその施療面１５を前方に向けた状態から横フレーム１２ｂを中心として後方に傾倒するように回転させることができる。オットマン６を支持アーム１４ａ，１４ｂに対して所定の角度にまで回転させると、Ｕ字フレーム１１ｂから外側方に突設してある収納ストッパ２２が近接する側の揺動アーム１４ｂに当ってオットマン６の所定角度以上の回転を防止するようなっており（図６参照）、この収納ストッパ２２が当る回転位置が本例のマッサージ椅子におけるオットマン６の収納位置となっている。収納位置にあるオットマン６は、その上部が椅子本体１の座部２下方の収納空間２５内に収納されるとともに、前方に突出していた各壁部８，９の全て若しくは略全体の部分も座部２下方の収納空間２５内に収納されることとなる。したがって、脚部マッサージを行わない場合は、オットマン６をその施療面１５が前方を向く状態から下部の横フレーム１２ｂを中心に後側に傾倒させて上記収納空間２５内に位置させておくことで、座部２に座した状態の使用者のふくらはぎにオットマン６の特に突出部分（即ち各壁部８，９）が当り違和感を与えることがなくなり、椅子としての快適な使用感が得られるものである。勿論、脚部マッサージを行いたい場合には上記の収納空間２５内にあるオットマン６をその上部が前方上方に向けて移動するように回転させて起こし、上側の横フレーム１２ａが前側ストッパ１７に当る位置でロックレバー１６を後側から係止させればよく、このように前後回転不能に保持した状態のオットマン６の脚部施療部７にふくらはぎを嵌め込んでエアバッグを防縮させればよいことは既述した通りである。
【００１４】
そして、本例のマッサージ椅子においては、オットマン６を支持する揺動アーム１４ａ，１４ｂの一端部と椅子本体１の前端とを前後方向に回転自在に連結させることで、揺動アーム１４ａ，１４ｂを、椅子本体１の前端から垂下される状態からその下部が前方上方に向けて移動するように、椅子本体１に対して回転可能としている。これにより、揺動アーム１４ａ，１４ｂに支持されるオットマン６は図１（ａ）の状態からその下部が前方上方に向けて移動するように揺動し、図７に示すようにオットマン６の脚部施療部７を設けてある施療面１５が前方上方を向く状態となる。このように、オットマン６を揺動アーム１４ａ，１４ｂと一体に揺動自在とすることで、使用者はオットマン６の揺動位置や背凭れ部３の傾斜位置を適宜選択して好みの体勢でマッサージを行うことが可能となるものである。
【００１５】
オットマン６の揺動位置や背凭れ部３の傾斜位置の変更は、使用者のボタン操作に基づいて、座部２下方に配されるリンク機構２４が制御部（図示せず）により作動されることにより行われる。ここで、本例のマッサージ椅子には、オットマン６の上部（具体的には横フレーム１２ａ）がロックレバー１６により揺動アーム１４ａ，１４ｂに回転不能に係止される位置にある場合にオンとなり、ロックレバー１６による係止を解除されて後方に傾倒された場合にはオフとなる検知スイッチ（図示せず）を備えており、該検知スイッチがオフとなる場合には使用者がオットマン６を揺動させるようにボタン操作を行ってもこれをキャンセルして揺動アーム１４ａ，１４ｂを回転させないように、制御部を設けている。そして、上記の検知スイッチのような、オットマン６が揺動アーム１４ａ，１４ｂに対して傾倒する収納位置にあるか否かを検知する検知手段と、上記の制御部のような、検知手段によりオットマン６が収納位置にあると検知される場合には揺動アーム１４ａ，１４ｂの椅子本体１に対する回転を禁止する制御手段とを備えることで、オットマン６が後方に傾倒されている場合には揺動アーム１４ａ，１４ｂの回転を禁止する揺動制限手段を構成することができ、これにより、不使用時に収納位置に傾倒させてあるオットマン６の上部を前方に引き出して使用可能な状態にセットし終えた場合にのみ該オットマン６が前方に揺動されるようにして、不適切な状態でのオットマン６の使用によりトラブルが生じることを防止し、また、オットマン６が使用可能な状態にセットされていない場合にはこれを使用者に気付かせることができるものである。
【００１６】
なお、オットマン６の施療面１５に設けられる施療用保持部７としては、本例のようなエアバッグを備えてある脚部保持溝２３内に脚部を嵌め込む構造に限らず、例えばエアバッグを備えてある筒体内に脚部を嵌め込む構造や、エアバッグを備えてあるベルトを使用者の脚部に巻き付けるような構造であってもよいし、また、給排気により膨縮するエアバッグを用いるのではなく、機械的に駆動される施療子を用いた構造のものであっても構わない。
【図面の簡単な説明】
【００１７】
【図１】本発明の実施の形態における一例のマッサージ椅子の斜視図であり、（ａ）はオットマン使用時を示し、（ｂ）はオットマン収納時を示している。
【図２】同上のマッサージ椅子のオットマン使用時の内部構造を示す説明図である。
【図３】同上のマッサージ椅子のオットマン収納時の内部構造を示す説明図である。
【図４】同上のマッサージ椅子のオットマンのフレーム構造を示す説明図である。
【図５】（ａ）は図４の主要部拡大図、（ｂ）は（ａ）の部分を側方から見た説明図である。
【図６】同上のマッサージ椅子のオットマンに設けてある収納ストッパの働きを示す説明図である。
【図７】同上のマッサージ椅子のオットマンを前方に揺動させた状態を示す斜視図である。
【符号の説明】
【００１８】
１  椅子本体
２  座部
６  オットマン
７  脚部施療部
１４  揺動アーム
１５  施療面
【図１】
2005237486.tif 000003
【図２】
2005237486.tif 000004
【図３】
2005237486.tif 000005
【図４】
2005237486.tif 000006
【図５】
2005237486.tif 000007
【図６】
2005237486.tif 000008
【図７】
2005237486.tif 000009